【手続補正書】
【提出日】平成20年6月13日(2008.6.13)
【手続補正１】
【補正対象書類名】明細書
【補正対象項目名】発明の名称
【補正方法】変更
【補正の内容】
【発明の名称】画像処理装置および情報処理装置および画像処理方法および情報処理方法および記憶媒体
【手続補正２】
【補正対象書類名】明細書
【補正対象項目名】特許請求の範囲
【補正方法】変更
【補正の内容】
【特許請求の範囲】
【請求項１】
情報処理装置からの複数ページからなる一連の原稿データを入力する入力手段と、入力した原稿データを、シート上に画像形成する画像形成装置に印刷させる制御手段と、入力した前記情報処理装置からの一連の原稿データ内に、前記画像形成装置に対する指示を表す情報が付加されたページが存在するか否かをページ単位で判定する判定手段とを有し、前記制御手段は、前記判定手段による判定結果に基づいて、前記一連の原稿データ内に含まれる、前記画像形成装置に対する指示を示す情報が付加されたページ以外のページを、前記画像形成装置により印刷可能にし、前記判定手段により判定したページが、前記画像形成装置に対する指示を表す情報が付加されたページであることに応じて、前記指示に基づいた処理を前記画像形成装置に実行させることを特徴とする画像処理装置。
【請求項２】
前記制御手段は、前記画像形成装置に対する指示を表す情報が付加されたページは前記画像形成装置により印刷させないことを特徴とする請求項１記載の画像処理装置。
【請求項３】
前記制御手段は、前記情報処理装置から入力した原稿データ内の、前記指示が付加されたページを、前記スキャナ装置からの原稿データのページに差し替えた状態のデータを１つのドキュメントとして生成する為の処理を前記指示に基づき実行させることを特徴とする請求項２記載の画像処理装置。
【請求項４】
前記制御手段は、１つのドキュメントとして、前記情報処理装置から入力した原稿データ内の、前記指示が付加されたページと前記スキャナ装置からの原稿データのページとの差し替えが行われたデータを、印刷させることを特徴とする請求項３記載の画像処理装置。
【請求項５】
前記制御手段は、１つのドキュメントとして、前記情報処理装置から入力した原稿データ内の、前記指示が付加されたページと前記スキャナ装置からの原稿データのページとの差し替えが行われたデータを、記憶手段に記憶させることを特徴とする請求項３記載の画像処理装置。
【請求項６】
前記画像形成装置は、予め画像形成されたシートを収納する収納手段を有し、前記制御手段は、前記一連の原稿データ内に含まれる、前記画像形成装置に対する指示を示す情報が付加されたページ以外のページを、前記画像形成装置により印刷させ、前記判定手段により判定したページが、前記画像形成装置に対する指示を表す情報が付加されたページであることに応じて、前記収納手段から予め画像形成されたシートを給送して、前記指示を示す情報が付加されたページ以外のページの画像が形成されたシートに挿入する為の処理を前記指示に基づき実行することを特徴とする請求項２記載の画像処理装置。
【請求項７】
情報処理装置からの複数ページからなる一連の原稿データを入力する入力ステップと、入力した原稿データを、シート上に画像形成する画像形成装置に印刷させる制御ステップと、入力した前記情報処理装置からの一連の原稿データ内に、前記画像形成装置に対する指示を表す情報が付加されたページが存在するか否かをページ単位で判定する判定ステップとを有し、前記制御ステップでは、前記判定ステップにおける判定結果に基づいて、前記一連の原稿データ内に含まれる、前記画像形成装置に対する指示を示す情報が付加されたページ以外のページを、前記画像形成装置により印刷可能にし、前記判定ステップにおける判定したページが、前記画像形成装置に対する指示を表す情報が付加されたページであることに応じて、前記指示に基づいた処理を前記画像形成装置に実行させることを特徴とする画像処理方法。
【請求項８】
情報処理装置からの複数ページからなる一連の原稿データを入力可能な画像処理装置に、入力した原稿データを、シート上に画像形成する画像形成装置に印刷させる制御ステップと、入力した前記情報処理装置からの一連の原稿データ内に、前記画像形成装置に対する指示を表す情報が付加されたページが存在するか否かをページ単位で判定する判定ステップとを有し、前記制御ステップでは、前記判定ステップにおける判定結果に基づいて、前記一連の原稿データ内に含まれる、前記画像形成装置に対する指示を示す情報が付加されたページ以外のページを、前記画像形成装置により印刷可能にし、前記判定ステップにおいて判定したページが、前記画像形成装置に対する指示を表す情報が付加されたページであることに応じて、前記指示に基づいた処理を前記画像形成装置に実行させるステップ、を実行させるためのプログラムを記憶したコンピュータが読み取り可能な記憶媒体。
【請求項９】
複数ページからなる一連の原稿データを、シート上に画像形成する画像形成装置に出力可能な情報処理装置であって、前記画像形成装置に出力すべき一連の原稿データ内に、前記画像形成装置により画像形成させる為のページと共に、前記画像形成装置に対する指示を表す情報を付加したページを含めた状態で、前記一連の原稿データを前記画像形成装置に出力することを特徴とする情報処理装置。
【請求項１０】
複数ページからなる一連の原稿データを、シート上に画像形成する画像形成装置に出力可能な情報処理装置の情報処理方法であって、前記画像形成装置に出力すべき一連の原稿データ内に、前記画像形成装置により画像形成させる為のページと共に、前記画像形成装置に対する指示を表す情報を付加したページを含めた状態で、前記一連の原稿データを前記画像形成装置に出力することを特徴とする情報処理装置の情報処理方法。
【請求項１１】
複数ページからなる一連の原稿データを、シート上に画像形成する画像形成装置に出力可能な情報処理装置に、前記画像形成装置に出力すべき一連の原稿データ内に、前記画像形成装置により画像形成させる為のページと共に、前記画像形成装置に対する指示を表す情報を付加したページを含めた状態で、前記一連の原稿データを前記画像形成装置に出力するステップを実行させるためのプログラムを記憶したコンピュータが読み取り可能な記憶媒体。
【手続補正３】
【補正対象書類名】明細書
【補正対象項目名】０００１
【補正方法】変更
【補正の内容】
【０００１】
【発明の属する技術分野】
本発明は、印刷ジョブを取扱う画像処理装置および情報処理装置および画像処理方法および情報処理方法および記憶媒体に関するものである。
【手続補正４】
【補正対象書類名】明細書
【補正対象項目名】０００４
【補正方法】変更
【補正の内容】
【０００４】
本発明は、上記の問題点を解決するためになされたもので、本発明は、複数の装置を用いることにより１つのドキュメントを生成する際に要するユーザの負担を軽減させると共に操作性を向上させた画像処理装置および情報処理装置および画像処理方法および情報処理方法および記憶媒体を提供することを目的とする。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】変更
【補正の内容】
【００２３】
【課題を解決するための手段】
本発明に係る第１の発明は、情報処理装置からの複数ページからなる一連の原稿データを入力する入力手段と、入力した原稿データを、シート上に画像形成する画像形成装置に印刷させる制御手段と、入力した前記情報処理装置からの一連の原稿データ内に、前記画像形成装置に対する指示を表す情報が付加されたページが存在するか否かをページ単位で、判定する判定手段とを有し、前記制御手段は、前記判定手段による判定結果に基づいて、前記一連の原稿データ内に含まれる、前記画像形成装置に対する指示を示す情報が付加されたページ以外のページを、前記画像形成装置により印刷可能にし、前記判定手段により判定したページが、前記画像形成装置に対する指示を表す情報が付加されたページであることに応じて、前記指示に基づいた処理を前記画像形成装置に実行させるものである。
【手続補正２４】
【補正対象書類名】明細書
【補正対象項目名】００２４
【補正方法】変更
【補正の内容】
【００２４】
本発明に係る第２の発明は、前記制御手段は、前記画像形成装置に対する指示を表す情報が付加されたページは前記画像形成装置により印刷させないものである。
【手続補正２５】
【補正対象書類名】明細書
【補正対象項目名】００２５
【補正方法】変更
【補正の内容】
【００２５】
本発明に係る第３の発明は、前記制御手段は、前記情報処理装置から入力した原稿データ内の、前記指示が付加されたページを、前記スキャナ装置からの原稿データのページに差し替えた状態のデータを１つのドキュメントとして生成する為の処理を前記指示に基づき実行させるものである。
【手続補正２６】
【補正対象書類名】明細書
【補正対象項目名】００２６
【補正方法】変更
【補正の内容】
【００２６】
本発明に係る第４の発明は、前記制御手段は、１つのドキュメントとして、前記情報処理装置から入力した原稿データ内の、前記指示が付加されたページと前記スキャナ装置からの原稿データのページとの差し替えが行われたデータを、印刷させるものである。
【手続補正２７】
【補正対象書類名】明細書
【補正対象項目名】００２７
【補正方法】変更
【補正の内容】
【００２７】
本発明に係る第５の発明は、前記制御手段は、１つのドキュメントとして、前記情報処理装置から入力した原稿データ内の、前記指示が付加されたページと前記スキャナ装置からの原稿データのページとの差し替えが行われたデータを、記憶手段に記憶させるものである。
【手続補正２８】
【補正対象書類名】明細書
【補正対象項目名】００２８
【補正方法】変更
【補正の内容】
【００２８】
本発明に係る第６の発明は、前記画像形成装置は、予め画像形成されたシートを収納する収納手段を有し、前記制御手段は、前記一連の原稿データ内に含まれる、前記画像形成装置に対する指示を示す情報が付加されたページ以外のページを、前記画像形成装置により印刷させ、前記判定手段により判定したページが、前記画像形成装置に対する指示を表す情報が付加されたページであることに応じて、前記収納手段から予め画像形成されたシートを給送して、前記指示を示す情報が付加されたページ以外のページの画像が形成されたシートに挿入する為の処理を前記指示に基づき実行するものである。
【手続補正２９】
【補正対象書類名】明細書
【補正対象項目名】００２９
【補正方法】変更
【補正の内容】
【００２９】
本発明に係る第７の発明は、情報処理装置からの複数ページからなる一連の原稿データを入力する入力ステップと、入力した原稿データを、シート上に画像形成する画像形成装置に印刷させる制御ステップと、入力した前記情報処理装置からの一連の原稿データ内に、前記画像形成装置に対する指示を表す情報が付加されたページが存在するか否かをページ単位で判定する判定ステップとを有し、前記制御ステップでは、前記判定ステップにおける判定結果に基づいて、前記一連の原稿データ内に含まれる、前記画像形成装置に対する指示を示す情報が付加されたページ以外のページを、前記画像形成装置により印刷可能にし、前記判定ステップにおける判定したページが、前記画像形成装置に対する指示を表す情報が付加されたページであることに応じて、前記指示に基づいた処理を前記画像形成装置に実行させるものである。
【手続補正３０】
【補正対象書類名】明細書
【補正対象項目名】００３０
【補正方法】変更
【補正の内容】
【００３０】
本発明に係る第８の発明は、情報処理装置からの複数ページからなる一連の原稿データを入力可能な画像処理装置に、入力した原稿データを、シート上に画像形成する画像形成装置に印刷させる制御ステップと、入力した前記情報処理装置からの一連の原稿データ内に、前記画像形成装置に対する指示を表す情報が付加されたページが存在するか否かをページ単位で判定する判定ステップとを有し、前記制御ステップでは、前記判定ステップにおける判定結果に基づいて、前記一連の原稿データ内に含まれる、前記画像形成装置に対する指示を示す情報が付加されたページ以外のページを、前記画像形成装置により印刷可能にし、前記判定ステップにおいて判定したページが、前記画像形成装置に対する指示を表す情報が付加されたページであることに応じて、前記指示に基づいた処理を前記画像形成装置に実行させるステップを実行させるためのプログラムを記憶媒体にコンピュータ読取可能に記憶させたものである。  
【手続補正３１】
【補正対象書類名】明細書
【補正対象項目名】００３１
【補正方法】変更
【補正の内容】
【００３１】
本発明に係る第９の発明は、複数ページからなる一連の原稿データを、シート上に画像形成する画像形成装置に出力可能な情報処理装置であって、前記画像形成装置に出力すべき一連の原稿データ内に、前記画像形成装置により画像形成させる為のページと共に、前記画像形成装置に対する指示を表す情報を前記画像形成装置に出力するものである。  
【手続補正３２】
【補正対象書類名】明細書
【補正対象項目名】００３２
【補正方法】変更
【補正の内容】
【００３２】
本発明に係る第１０の発明は、複数ページからなる一連の原稿データを、シート上に画像形成する画像形成装置に出力可能な情報処理装置の情報処理方法であって、前記画像形成装置に出力すべき一連の原稿データ内に、前記画像形成装置により画像形成させる為のページと共に、前記画像形成装置に対する指示を表す情報を付加したページを含めた状態で、前記一連の原稿データを前記画像形成装置に出力するものである。
【手続補正３３】
【補正対象書類名】明細書
【補正対象項目名】００３３
【補正方法】変更
【補正の内容】
【００３３】
本発明に係る第１１の発明は、複数ページからなる一連の原稿データを、シート上に画像形成する画像形成装置に出力可能な情報処理装置に、前記画像形成装置に出力すべき一連の原稿データ内に、前記画像形成装置により画像形成させる為のページと共に、前記画像形成装置に対する指示を表す情報を付加したページを含めた状態で、前記一連の原稿データを前記画像形成装置に出力するステップを実行させるためのプログラムを記憶媒体にコンピュータ読み取り可能に記憶させたものである。
【手続補正３４】
【補正対象書類名】明細書
【補正対象項目名】０２１１
【補正方法】削除
【補正の内容】
【手続補正３５】
【補正対象書類名】明細書
【補正対象項目名】０２１２
【補正方法】削除
【補正の内容】
【手続補正３６】
【補正対象書類名】明細書
【補正対象項目名】０２１３
【補正方法】削除
【補正の内容】
【手続補正３７】
【補正対象書類名】明細書
【補正対象項目名】０２１４
【補正方法】削除
【補正の内容】
【手続補正３８】
【補正対象書類名】明細書
【補正対象項目名】０２１５
【補正方法】変更
【補正の内容】
【０２１５】
【発明の効果】
本発明によれば、情報処理装置からの複数ページからなる一連の原稿データを入力し、該入力した前記情報処理装置からの一連の原稿データ内に、前記画像形成装置に対する指示を表す情報が付加されたページが存在するか否かをページ単位で判定し、該判定結果に基づいて、前記一連の原稿データ内に含まれる前記画像形成装置に対する指示を示す情報が付加されたページ以外のページを、前記画像形成装置により印刷可能にし、前記判定手段により判定したページが、前記画像形成装置に対する指示を表す情報が付加されたページであることに応じて、前記指示に基づいた処理を前記画像形成装置に実行させるので、情報処理装置から入力される複数ページからなる一連の原稿データの任意のページに対して、情報処理装置から指示された処理を画像形成装置により容易に実行させることができる。
【手続補正３９】
【補正対象書類名】明細書
【補正対象項目名】０２１６
【補正方法】変更
【補正の内容】
【０２１６】
また、本発明によれば、複数ページからなる一連の原稿データを、シート上に画像形成する画像形成装置に出力可能な情報処理装置が、前記画像形成装置に出力すべき一連の原稿データ内に、前記画像形成装置により画像形成させる為のページと共に、前記画像形成装置に対する指示を表す情報を付加したページを含めた状態で、前記一連の原稿データを前記画像形成装置に出力するので、複数ページからなる一連の原稿データの任意のページに対して所定の処理を実行させる場合であっても、情報処理装置上の前記原稿データに対して直接前記所定の処理を実行することなく、画像形成装置に指示して容易に実行させることができる。